(57)【要約】      （修正有）【課題】汗拭きタオル等であって、ずり落ちたり、飛ばされたりすることが抑制されて安定的に保持することができる長尺状布片を提供する。【解決手段】長尺矩形状のタオル本体１に、帯布２がタオル本体１の短手方向に縫合されるとともに、収納部３がタオル本体１の長手方向中央部に縫合されて形成されている。帯布２は、タオル本体１の端部１１から長手方向に８分の１ほどの位置に、タオル本体１の幅方向全体に亘る長さをもって縫合されている。帯布２の表面には、夜間に光を反射する反射部として、反射部材４が取着されている。収納部３は、タオル本体１の長手方向中央部に、タオル本体１の幅方向の端縁から幅方向の３分の１ほどの位置にかけて縫合されている。【選択図】図１
0003181973.tif 000002
【実用新案登録請求の範囲】
【請求項１】
長手方向の一端部寄りに、他端部を挿入可能な挿入部が形成されている長尺状布片。
【請求項２】
前記挿入部には、反射部が形成されている請求項１記載の長尺状布片。
【請求項３】
長手方向中央部には、収納部が形成されている請求項１又は２記載の長尺状布片。
【考案の詳細な説明】
【技術分野】
【０００１】
本考案は、汗拭きタオル、手拭きタオル、マフラー等として使用される長尺状布片に関する。
【背景技術】
【０００２】
従来、ランニングやウォーキング、ハイキング等の運動時に汗拭きタオルを首に巻いたり、或いは庭仕事等の屋外作業時に汗拭きタオルを庭のフェンス等に掛けて使用したりする場合がある。また、台所での炊事作業時や屋内での清掃作業時に、手拭きタオルをタオル掛け等に掛けて使用する場合がある。さらに、寒冷時には保温のために首にマフラーを巻いたりする場合もある。
【０００３】
しかし、このような汗拭きタオル、手拭きタオル、マフラー等は、一般に長尺状の布片として形成されているため、使用者の体勢が変わったり風が吹いたりすると、ずり落ちたり飛ばされたりしてしまう場合がある。当該事態を防止するために、長尺状布片の端部同士を縛ることもできるが、見た目が悪く外観形状が低下する上、縛った部分がごわついて使用感も低下することになる。
【考案の概要】
【考案が解決しようとする課題】
【０００４】
本考案はこのような従来の長尺状布片に存する問題に鑑みてなされたものである。ずり落ちたり、飛ばされたりすることが抑制されて安定的に保持することができる長尺状布片を提供することを目的としている。
【課題を解決するための手段】
【０００５】
請求項１に記載の長尺状布片は、長手方向の一端部寄りに、他端部を挿入可能な挿入部が形成されている。
好ましくは、前記挿入部には、反射部が形成されている。
【０００６】
好ましくは、長尺状布片の長手方向中央部には、収納部が形成されている。
【考案の効果】
【０００７】
本考案の長尺状布片によれば、ずり落ちたり、飛ばされたりすることが抑制されて安定的に保持することができる。
【図面の簡単な説明】
【０００８】
【図１】汗拭きタオルの正面図。
【図２】帯布２の説明図。（ａ）は、帯布２の正面図。（ｂ）は、帯布２の展開図。
【図３】汗拭きタオルの帯布２部分の部分拡大図。
【図４】汗拭きタオルの収納部３部分の部分拡大図。
【図５】汗拭きタオルの使用説明図。
【図６】挿入部の変更例の説明図。
【考案を実施するための形態】
【０００９】
以下、長尺状布片を、汗拭きタオルに具体化した実施の形態を説明する。
図１に示すように、汗拭きタオルは、長尺矩形状のタオル本体１に、帯布２がタオル本体１の短手方向に縫合されるとともに、収納部３がタオル本体１の長手方向中央部に縫合されて形成されている。帯布２は、タオル本体１の端部１１から長手方向に８分の１ほどの位置に、タオル本体１の幅方向全体に亘る長さをもって縫合されている。帯布２の表面には、夜間に光を反射する反射部として、反射部材４が取着されている。収納部３は、タオル本体１の長手方向中央部に、タオル本体１の幅方向の端縁から幅方向の３分の１ほどの位置にかけて縫合されている。
【００１０】
タオル本体１は、長尺矩形状にタオル生地を裁断し、該タオル生地を構成する経糸及び緯糸がほつれないようその周縁を２つ折りにしてヘム縫いすることにより縫合して形成されている。タオル本体１の大きさは適宜選択することが可能である。使用者が首にかけて使用する場合を想定すれば、通常の浴用タオル、フェイスタオル、スポーツタオル等の大きさで形成することが好ましく、具体的には、幅３５ｃｍ〜４０ｃｍで長手方向の長さが８０〜１１０ｃｍ程度であることが扱いやすさの観点から好ましい。なお、本実施形態のタオル生地としては吸湿性及び肌触りの観点から、汗を吸いやすく柔らかい素材として、パイル状に織られた綿織物を使用している。
【００１１】
図２（ａ）に示すように、帯布２は、タオル本体１と同じタオル生地を使用して長尺矩形状に形成され、長手方向の長さｎがタオル本体１の幅ｍと略同一となっている。図２（ｂ）に示すように、帯布２は、まず、タオル生地を所定の大きさに裁断し、縫い代２１が帯布２内部に収納されるようにその周縁を縫合して形成されている。前記所定の大きさとは、帯布２の２倍の大きさに、その周縁全体に縫い代２１が形成された大きさである。縫合の際、帯布２の表面となる部分に、夜間に光を反射する反射部材４としての反射シートを載せ、反射シートとともに縫合するとよい。反射シートは、市販されているものを適宜使用することができる。なお、帯布２の幅は適宜選択することができるが、１〜５ｃｍ程度であることが好ましい。
【００１２】
図３に示すように、周縁が縫合された帯布２は、その長手方向をタオル本体１の幅方向に一致させるようにして縫合されている。帯布２は、長手方向の両端部寄りの２つの箇所が、縫合部５ａ、５ｂとしてタオル本体１との縫合箇所となっている。縫合部５ａ、５ｂは、いずれもタオル本体１と帯布２とを合わせて矩形状に縫い合わせることで形成されている。図３では、タオル本体１と帯布２との縫合箇所のみを点線で示している。これにより、帯布２をタオル本体１に強固に逢着することができるとともに、縫合部５ａと縫合部５ｂとの間には、帯布２がタオル本体１に逢着されていない非縫合部６が形成されている。後述するように、当該非縫合部６がタオル本体１の端部１２を挿入するための挿入部として機能する。縫合部５ａの長手方向の長さ（タオル本体１の幅方向の長さ）ａ、及び、縫合部５ｂの長手方向の長さ（タオル本体１の幅方向の長さ）ｂは同一となっている。その長さａ、ｂは適宜選択することができるが、本実施形態では、帯布２の長手方向の長さのほぼ３分の１となっている。したがって、非縫合部６の長手方向の長さｃも帯布２の長手方向の長さのほぼ３分の１となっている。
【００１３】
図４に示すように、タオル本体１の長手方向中央部には収納部３が縫合されている。収納部３は、汗拭きタオルを夏の暑い時期に使用するような場合に、使用者の首筋を冷やすための保冷剤を入れたり、冬の寒い時期にマフラー代わりとして使用するような場合に、使用者の首筋を温めるための保温剤を入れたりすることができるものである。収納部３は、タオル本体１と同じタオル生地を使用して形成されている。所定の大きさのタオル生地を裁断後、その周縁のほつれを防止するために周縁をヘム縫いにより縫合して長方形状に形成したものを、タオル本体１の長手方向中央部に縫合している。この際、タオル本体１の長手方向に延びる端縁と、収納部３の長手方向に延びる端縁とが一致するようにし、その部分を残した３辺においてタオル本体１と収納部３とを合わせて縫合している。その結果、タオル本体１及び収納部３の長手方向に延びる端縁には、開口部３１が形成されて、当該開口部３１を介して保冷剤や保温剤を出し入れ可能なように構成されている。
【００１４】
次に、汗拭きタオルの使用方法について述べる。図５に示すように、汗拭きタオルを使用者の首にかけ、タオル本体１の帯布２に形成された非縫合部６に、他方の端部１２を挿入して潜らせる。これにより、タオル本体１の端部１２が帯布２を介して端部１１に保持される。
【００１５】
以上述べた汗拭きタオルの作用について説明する。
タオル本体１に縫合された帯布２に非縫合部６を形成したことにより、当該非縫合部６がタオル本体１の端部１２の挿入部として作用する。
【００１６】
タオル本体１に収納部３を縫合したことにより、収納部３が保冷剤や保温剤等を収納可能に作用する。
本実施形態の汗拭きタオルによれば、以下のような効果を得ることができる。
【００１７】
（１）タオル本体１に縫合された帯布２の非縫合部６により、タオル本体１の端部１２を非縫合部６に挿入して、汗拭きタオルの端部１１、１２近傍同士を合わせて円環状に保持することができる。これにより、使用者が汗拭きタオルを首にかけて使用したり、庭のフェンスに掛けて使用したりしても、ずり落ちたり、風に飛ばされたりすることが抑制されて汗拭きタオルを安定して保持することができる。
【００１８】
（２）帯布２をタオル本体１と同じ素材としていることから、汗拭きタオル全体での汗の吸収がよく使用感が良好である。
（３）帯布２に反射部材４を取着したことから、夜間のウォーキングやランニングの際の安全を確保することができる。
【００１９】
（４）タオル本体１に収納部３を縫合したことにより、夏の暑いときには保冷剤を入れることができ体温を下げる効果が期待できる。また、収納部３をタオル本体１の長手方向中央部に形成したことにより、汗拭きタオル使用時には収納部３が使用者の首の裏に当たり、体温を下げる効果がより向上することが期待できる。
【００２０】
（５）冬の寒いときには、タオル本体１の収納部３に保温剤を収納することで保温効果を向上させることができる。冬の寒いときにランニング等をした場合であっても、保温剤で体を温めることができるとともに、ランニング中の汗を汗拭きタオルですぐ拭えることから、体が冷えず快適に運動を行なうことができる。
【００２１】
（６）収納部３をタオル本体１と同じ素材としていることから、汗拭きタオル全体での汗の吸収がよい上に首筋にあたる違和感が少なく、使用感が良好である。
なお、上記実施形態は、以下のように変更してもよい。また、以下の変更例を適宜組み合わせて構成することも可能である。
【００２２】
・  本実施形態では、長尺状布片として汗拭きタオルを例に挙げたが、手拭きタオル、マフラー等についても同様に適用することができる。手拭きタオルやマフラー等に帯布２を縫合すれば、ずり落ちたり、風で飛ばされたりするといった事態が抑制できる。
【００２３】
・  本実施形態では、綿織物としてのタオル生地を用いて汗拭きタオルとしたが、汗拭き用布片として他の異なる生地を用いることができる。また、手拭きタオル、マフラー等、各種用途に合わせて生地を選択することもできる。布の織り方で分類すれば織物以外に、編み物、レース、或いは不織布等を適宜用いることができる。また、材質で分類すれば、綿織物以外に、毛織物、絹織物、麻織物、合成繊維織物等を適宜用いることができる。さらに、汗拭きタオルの用途で考えれば、綿織物の中でも、汗をよく吸い取って肌触りが好適である観点からガーゼ生地で形成してもよい。
【００２４】
・  本実施形態では、汗拭きタオルの大きさを、幅３５ｃｍ〜４０ｃｍで長手方向の長さが８０〜１１０ｃｍ程度の大きさとしたが、これに限定されない。幅広、幅狭、或いはこれより長かったり短かったりしてもよい。
【００２５】
・  本実施形態では、帯布２をタオル本体１と同じタオル生地を使用して形成したが、異なる生地で形成してもよい。また、異なる材質、異なる色の生地で形成してもよい。この場合、帯布２部分が汗拭き用タオルのアクセントとなって外観形状を向上させることができる。
【００２６】
・  本実施形態では、帯布２を縫合することによって形成される非縫合部６により挿入部を構成したが、図６に示すように、タオル本体１に、その幅方向に沿う２つの平行な直線状の切込み７を入れることによって挿入部を構成してもよい。
【００２７】
・  本実施形態では、帯布２をタオル本体１の端部１１のみに縫合したが、端部１１及び１２の両方に縫合してもよい。一方の端部１１、１２の帯布２の非縫合部６に、他方の端部１２、１１を挿入することができ、汎用性が向上する。
【００２８】
・  本実施形態では、縫合部５ａ、５ｂの帯布２における長手方向の長さａ、ｂを略同一となるように形成したが、長さはこれに限られない。縫合部５ａの長さａを縫合部５ｂの長さｂより短くしてもよく、また、長くしてもよい。或いは、縫合部５ａの長さａをほぼゼロとしてもよい。つまり、非縫合部６を帯布２における長手方向端部に形成してもよい。これは縫合部５ｂについても同様である。さらに、縫合部５ａの長さａ及び縫合部５ｂの長さｂをともにほぼゼロとしてもよい。つまり、帯布２をその長手方向両端部でのみタオル本体１に縫合するようにしてもよい。この場合、帯布２における長手方向全体が非縫合部６となって、帯布２の全長がタオル本体１の端部１２の挿入部として機能する。
【００２９】
・  本実施形態では、縫合部５ａ、５ｂの帯布２における長手方向の長さａ、ｂと、非縫合部６の帯布２における長手方向の長さｃとを略同一としたが、長さはこれに限られない。縫合部５ａ、５ｂの長さａ、ｂより非縫合部６の長さｃを長くしてもよく、或いは短くしてもよい。
【００３０】
・  本実施形態では、帯布２の幅を１〜５ｃｍ程度としたが、１ｃｍ未満であってもよく、５ｃｍ以上であってもよい。
・  本実施形態では、帯布２の長手方向の長さｎがタオル本体１の幅ｍと略同一としたが、タオル本体１の幅ｍより短くしてもよい。また、帯布２を端部１１及び端部１２の両方に縫合した場合、それぞれの帯布２の長手方向の長さを異ならせるようにしてもよい。
【００３１】
・  本実施形態では、収納部３をタオル本体１と同じタオル生地を使用して形成したが、異なる生地で形成してもよい。また、異なる材質、異なる色の生地で形成してもよい。この場合、収納部３部分が汗拭き用タオルのアクセントとなって外観形状を向上させることができる。
【００３２】
・  本実施形態では、収納部３をタオル本体１の長手方向中央部に１箇所形成したが、複数箇所に形成してもよい。この場合、長手方向に並列させて縫合してもよく、幅方向に並列されて縫合してもよく、或いはランダムな位置に縫合してもよい。
【００３３】
・  タオル本体１の端部１１及び端部１２のそれぞれにタオル本体１の長手方向中央部に向けて開口するように収納部を縫合してもよい。この場合、タオル本体１の長手方向の長さを長くして、両端部１１、１２の収納部に使用者の手を挿入することができるようにすれば、寒冷時に手を保温することができる。
【００３４】
・  帯布２に縫合した反射部材４を省略してもよい。
・  反射部材４は、帯布２ではなく収納部３に取着してもよい。或いは、帯布２や収納部３とは異なる位置でのタオル本体１に取着してもよい。
【００３５】
・  本実施形態では、反射部を反射部材４としての反射シートで構成したが、反射部材４を縫合する形態でなくてもよい。例えば、反射塗料を塗布してもよく、反射部がプリントされた生地を帯布２として縫合してもよい。
【００３６】
・  本実施形態では、タオル本体１の周縁、帯布２の周縁を縫合したが、少なくともいずれか一方を接着剤等で接合してもよい。また、反射部材４についても帯布２に対して接着剤等で接合してもよい。
【００３７】
さらに前記実施の形態より把握できる技術的思想について以下に記載する。
（イ）前記挿入部は、帯布を接合することにより形成されている長尺状布片。
（ロ）前記挿入部は、幅方向に沿う２つの直線状の切込みにより形成されている長尺状布片。
【符号の説明】
【００３８】
１…長尺状布片としての汗拭きタオル、２…帯布、３…収納部、４…反射部としての反射部材、６…挿入部としての非縫合部。
【図１】
0003181973.tif 000003
【図２】
0003181973.tif 000004
【図３】
0003181973.tif 000005
【図４】
0003181973.tif 000006
【図５】
0003181973.tif 000007
【図６】
0003181973.tif 000008